(57)【要約】【課題】  出入を許可された者へ、鍵の代わりになる出入情報を簡単に配布することができるようにし、出入管理の態様の変化にも、スムーズに対応できるようにするとともに、複数の異なる出入口の出入のために、常時複数の鍵を携帯しなくても、必要なときに、正規の者をスムーズに出入させることができる出入管理システムを提供することである。【解決手段】  出入情報を記憶した出入情報サーバー１と、携帯通信端末３と、出入管理装置５とからなり、出入情報サーバー１は、上記出入情報を記憶する機能と、特定の携帯通信端末３に出入情報をダウンロードさせる機能とを備え、出入管理装置５は、携帯通信端末３から発信される出入情報を受信する機能と、受信した出入情報を予め記憶している出入許可条件と照合し、携帯通信端末３から受信した出入情報が上記出入許可条件を満足しているか否かを判断する機能とを備えた。【選択図】  図１
2006336343.tif 000002
【特許請求の範囲】
【請求項１】
出入情報を記憶した出入情報サーバーと、この出入情報サーバーと通信可能にした携帯通信端末と、この携帯通信端末との間で通信可能な出入管理装置とからなり、上記出入情報サーバーは、上記出入情報を記憶する機能と、特定の携帯通信端末に出入情報をダウンロードさせる機能とを備え、上記出入管理装置は、上記携帯通信端末から発信される出入情報を受信する機能と、受信した出入情報を予め記憶している出入許可条件と照合し、上記携帯通信端末から受信した出入情報が上記出入許可条件を満足しているか否かを判断する機能とを備えた出入管理システム。
【請求項２】
上記出入情報サーバーは、出入情報をダウンロード可能にする時間条件を記憶する機能と、上記時間条件を満足しているときのみ、出入情報のダウンロードを許可する機能を備えた請求項１に記載の出入管理システム。
【請求項３】
上記出入管理装置は、上記照合結果を携帯通信端末へ発信する機能を備え、上記携帯通信端末は上記照合結果の受信をトリガとして予め設定した送信先へ照合結果に基づいた情報を電子メールとして送信する機能を備えた請求項１または２に記載の出入管理システム。
【請求項４】
上記出入情報サーバーは、出入情報の有効期間を記憶する機能と、ダウンロードさせた出入情報を上記有効期間後に無効にするプログラムを記憶する機能と、出入情報を特定の携帯通信端末にダウンロードさせるときに、上記プログラムを合わせてダウンロードさせる機能とを備えた請求項１〜３のいずれか１に記載の出入管理システム。
【発明の詳細な説明】
【技術分野】
【０００１】
この発明は、電子錠の開閉を制御して、出入を管理する出入管理システムに関する。
【背景技術】
【０００２】
従来から、カードキーを利用し、出入管理を行うシステムがあった。例えば、出入口に設けた出入管理装置が、カードキーのＩＤなどを読み取り、そのＩＤが予め設定されたＩＤと一致するか否かを判断し、一致した場合に、解錠するようにしている。
例えば、会社の出入管理に用いる場合、出入管理装置が、社員証の社員ＩＤを読み取って電気錠の開閉を制御するようにしている。このようにすれば、出入を許可された社員も、従来のような金属製の鍵の代わりに社員証を携帯するだけでよいので便利である。
また、特に、複数の出入り口を管理する警備員などは、鍵の束の代わりにカードキーを携帯する方が便利である。
【特許文献１】特開２００２−８３０８７号公報
【特許文献２】特開２００４−８８３３７号公報
【発明の開示】
【発明が解決しようとする課題】
【０００３】
しかし、上記のように社員ＩＤによって全社員に出入の許可を与えるようにする場合、出入管理装置に、全社員の社員ＩＤを設定する必要があり、社員数が多くなればなるほどその作業が大変であった。
また、社員ＩＤとは別の特定のＩＤを記憶させたカードキーを用いるようにすれば、出入管理装置に、多数のＩＤを設定する必要がないが、各社員にカードキーを配布する手間が掛かる。
【０００４】
一方、警備会社などでは、通報を受けたら、警備員を現場へ送り、状況を調べるサービスを提供することがある。警報を受けた警備員は、ビルなどの現場へ行くが、その際、入り口の鍵を持って行く必要がある。
連絡を受けた担当警備員が、警備会社に居る場合には、すぐに必要な鍵を持ち出すことができるが、例えば、別の現場の巡回中などに連絡を受けた場合には、警備会社に鍵を取りに行かなければならない。その分、現場への到着が遅れてしまうことになる。
【０００５】
また、警報を受けたら現場へ急行できるように、鍵を取りに行く時間を省略しようとすると、警備員が、自分の担当現場の、全ての鍵を常時携帯している必要がある。しかし、担当数が多い場合には、鍵の数が多くて携帯も不便であるし、携帯している鍵の数が多くなればなるほど、紛失の危険性も高くなる。このことは、鍵が、旧来の機械的な鍵でも、電子錠に対応したカードキーであっても同じである。例えば、多数の場所の出入をするためには、異なるＩＤなどの出入情報を登録した複数のカードキーを持たなければならない。
さらに、予めカードキーを配布しておいても、出入許可条件を変更した場合には、それに対応したキーを再配布しなければならず、すぐに新たなシステムを採用することが難しかった。
【０００６】
この発明の目的は、出入を許可された者へ、鍵の代わりになる出入情報を簡単に配布することができるようにし、出入管理の態様の変化にも、スムーズに対応できる出入管理システムを提供することである。
また、複数の異なる出入口の出入のために、常時複数の鍵を携帯しなくても、必要なときに、正規の者をスムーズに出入させることができる出入管理システムを提供することである。
【課題を解決するための手段】
【０００７】
第１の発明は、出入情報を記憶した出入情報サーバーと、この出入情報サーバーと通信可能にした携帯通信端末と、この携帯通信端末との間で通信可能な出入管理装置とからなり、上記出入情報サーバーは、上記出入情報を記憶する機能と、特定の携帯通信端末に出入情報をダウンロードさせる機能とを備え、上記出入管理装置は、上記携帯通信端末から発信される出入情報を受信する機能と、受信した出入情報を予め記憶している出入許可条件と照合し、上記携帯通信端末から受信した出入情報が上記出入許可条件を満足しているか否かを判断する機能とを備えた点に特徴を有する。
【０００８】
第２の発明は、第１の発明を前提とし、上記出入情報サーバーは、出入情報をダウンロード可能にする時間条件を記憶する機能と、上記時間条件を満足しているときのみ、出入情報のダウンロードを許可する機能を備えた点に特徴を有する。
第３の発明は、上記第１または第２の発明を前提とし、上記出入管理装置は、上記照合結果を携帯通信端末へ発信する機能を備え、上記携帯通信端末は上記照合結果の受信をトリガとして予め設定した送信先へ照合結果に基づいた情報を電子メールとして送信する機能を備えた点に特徴を有する。
【０００９】
第４の発明は、上記第１〜第３のいずれかを前提とし、上記出入情報サーバーは、出入情報の有効期間を記憶する機能と、ダウンロードさせた出入情報を上記有効期間後に無効にするプログラムを記憶する機能と、出入情報を特定の携帯通信端末にダウンロードさせるときに、上記プログラムを合わせてダウンロードさせる機能とを備えた点に特徴を有する。
【発明の効果】
【００１０】
第１〜第４の発明によれば、携帯通信端末に通信を介して、出入情報をダウンロードさせるようにしているので、ＩＤカードなどに比べて、出入情報の発行が簡単にできる。
また、特定の出入情報が必要になったときに、すぐに、その情報をユーザーに与えることができるので、ユーザーは、必要が生じたらすぐに出入情報を用いることができる。
例えば、警報を受けた警備会社の警備員が、外出先で出入情報を取得して、現場に直行することもできる。
【００１１】
第２の発明では、出入情報のダウンロードに時間的条件をつけることによって、正規のアクセス者に対して出入情報をダウンロードさせるとともに、不正者に出入情報が盗まれることを防止できる。
【００１２】
第３の発明によれば、携帯通信端末を介して、出入管理装置の照合結果が所定の送信先へ自動送信されるので、この送信先では、各出入管理装置における出入履歴を管理することができる。例えば、出入管理装置ごとの出入履歴に関する情報を管理する履歴管理装置を、上記送信先とすれば、出入履歴を入力する手間をかけないで、履歴管理装置で出入履歴を管理することもできる。
また、上記履歴管理装置などの送信先へ、携帯通信端末の通信機能を利用して、無線で出入履歴を送信することができるため、出入管理装置と履歴管理装置とを接続する通信回線などを特別に設ける必要がない。例えば、出入管理装置と、履歴管理装置とを配線で接続した場合と比べて、設備コストを低く抑えることができる。
【００１３】
第４の発明によれば、出入情報に有効期限を設けて、携帯通信端末に必要時間だけ有効な出入情報を保持させることができる。これにより、携帯通信端末が不正者に不正利用されることを防止できる。
また、有効期限後に上記出入情報を無効にするためのプログラムをダウンロードさせることにより、出入情報をダウンロードした携帯通信端末側で出入情報を自動的に無効にできる。
【発明を実施するための最良の形態】
【００１４】
図１〜図３に、この発明の第１実施形態を示す。
このシステムは、図１に示すように、出入情報サーバー１と、この出入情報サーバー１とインターネットＮを介して接続可能な履歴管理コンピュータ２と、インターネットＮに接続可能な携帯通信端末３とを備えている。
また、各出入口に対応した出入管理装置５を備え、この出入管理装置５の読み取り部４を出入り口のドア６の脇に設けている。このドア６には、図示しない電気錠を設け、この電気錠と上記出入管理装置５とを連係している。
【００１５】
上記携帯通信端末３は、例えば、インターネットＮに接続する機能を備えた携帯電話機である。
また、この携帯通信端末３には、メモリとメモリに記憶されたデータを発信する発信回路とを備えたＩＣチップを搭載している。そして、この携帯通信端末３は、上記ＩＣチップのメモリに、後で説明するこの発明の出入情報を記憶し、この出入情報を、ドアの脇の読み取り部４に対して発信する機能を有する。
なお、上記ドア６の設置場所が出入管理の管理対象場所であり、出入管理装置５は上記読み取り部４の近くに設置されている。
【００１６】
上記出入管理装置５は、出入許可条件を記憶する記憶部５ａと、データ処理部５ｂとを備え、データ処理部５ｂは、上記読み取り部４を介して読み取った出入情報と記憶部５ａが記憶している条件とを照合する機能を備えている。また、データ処理部５ｂは、照合した結果、読み取った出入情報が条件を満足していた場合には、ドア６に取り付けられた電気錠を解錠する機能を備えている。
さらに、この出入管理装置５のデータ処理部５ｂは、上記照合処理を行ったら、その照合結果を携帯通信端末３に対して送信する機能を備え、携帯通信端末３は、この照合結果の受信をトリガとして、予め設定した送信先へ照合結果に基づいた情報を電子メールとして送信する機能を備えている。具体的には、上記照合結果をトリガとして自動的に電子メールを送信するプログラムを携帯通信端末３に設定しておく必要がある。このプログラムも、上記出入情報とともに出入情報サーバー１からダウンロードするようにしてもよい。
【００１７】
一方、上記出入情報サーバー１は、出入情報を記憶しているサーバーで、通常、上記出入管理装置５が設置されている管理場所とは別のところに設置されている。そして、上記出入情報サーバー１は、例えば、出入情報を管理する専門の業者や、出入管理装置を設置している会社などの管理部門が、管理するようにしている。
また、この出入情報サーバー１が記憶している出入情報は、例えば、図２に示すように、出入口に対応した情報である。
なお、上記出入口は、このシステムで出入を管理すべき出入口であり、それぞれ、出入管理装置５を対応させている。
【００１８】
上記出入情報サーバー１が記憶している出入情報とは、この情報を保持している者が出入を許可されていることを示す情報であり、例えば、出入を許可されている者を特定するＩＤなどがある。ただし、このＩＤは、個人に対応付けたものである必要はなく、グループごとに対応付けても良いし、個人を特定する情報ではなく、出入管理のためだけに決めた鍵ＩＤでもかまわない。
また、上記出入情報には、その出入情報をダウンロードさせるためのダウンロード条件と、上記出入情報自体の有効期限とが対応付けられている。
上記ダウンロード条件とは、この条件を満たしたときにのみ、出入情報をダウンロードさせるようにするという条件で、例えば、時間条件と、ダウンロード先とがある。
【００１９】
ダウンロードの時間条件としては、ダウンロードできる時間帯の始点時刻と終了点時刻や、「特定の時刻から３０分間」というようなものがある。この特定の時刻は、必要な時点でこの出入情報サーバー１に入力するようにしている。
ダウンロード先の条件とは、その出入情報をダウンロードさせる携帯通信端末３の条件であり、携帯通信端末３を特定するための機械ＩＤや、アドレスなどである。また、予め決めたパスワードの入力を要求し、そのパスワードの入力があったときにダウンロードさせるようにしてもよい。その場合、パスワードの一致がダウンロード条件となる。
【００２０】
ただし、ダウンロード条件としては、上記のものに限らず、様々な条件を設定することができる。そして、出入情報サーバー１は、そのダウンロード条件を記憶するとともに、携帯通信端末３からダウンロード要求があったときに、上記条件を満足しているか否かを判断し、条件を満足している場合にのみ、出入情報をダウンロードさせるようにしている。
このようにダウンロード条件を設定しておけば、特定の携帯通信端末３に必要な出入情報をダウンロードさせることができるが、条件を満足しない携帯通信端末３にその出入情報がダウンロードされないようにすることができる。これにより、出入情報を利用した不正侵入を防止できる。
【００２１】
さらに、図２に示した「有効期限」とは、携帯通信端末３にダウンロードされた出入情報の有効期限のことである。この有効期限が有る場合には、その期限も、上記出入情報サーバー１が記憶している。また、各有効期限には、この有効期限が過ぎた場合には、対応する出入情報を無効にするためのプログラムも対応付け、それも、出入情報サーバー１が記憶している。
また、上記履歴管理コンピュータ２は、各出入管理装置５が管理している出入口の、出入状況を管理するコンピュータであり、どこに設けられていてもかまわないが、インターネットＮに接続し、インターネットＮを介して上記携帯通信端末３と接続可能にしている。
【００２２】
以下に、このシステムの作用を、警備会社の警備員が、警報を受けて顧客のビルの出入口である上記ドア６を開けて、ビル内に入る例を用いて説明する。
ここで、上記携帯通信端末３は、警備員が用いるものであり、上記履歴管理コンピュータ２は、警備会社が管理しているものとする。
【００２３】
このときの情報の流れを、図３を用いて説明する。
警備会社が、現場からの警報を受けたら、担当の警備員に電話連絡をして、現場に急行するように指示をする。ここでは、図２に示す出入口Ｎｏ．１が、急行すべき現場とする。
警備員は、現場に向いながら、携帯通信端末３を用いて、出入情報サーバー１にアクセスする。具体的には、この出入情報サーバー１が記憶している出入情報をダウンロードするためのウエブページにアクセスすることによって、所定の出入情報のダウンロード要求を出入情報サーバー１へ送信する（図３矢印（１））。なお、上記携帯端末３がアクセスすべきウエブページのＵＲＬは、警備員の携帯通信端末３に予め記憶させておいても良いし、そのつど、警備会社から通知するようにしても良い。
【００２４】
なお、警備会社は、警報があったことを警備員に通知したら、そのタイミングで出入情報サーバー１へ、通知した警備員の携帯通信端末の端末ＩＤを、ダウンロード条件として入力するようにすることもできる。このようにすれば、出入情報サーバー１では、この時点で、図２に示す出入情報ダウンロード条件のダウンロード先を特定できる。そのため、警備会社では、同じ出入口に対しても、その時々で最適な担当者を選んで、その携帯通信端末３へ出入情報をダウンロードさせるようにすることができる。
【００２５】
出入情報サーバー１は、出入口Ｎｏ．１の出入情報に対するダウンロード要求を受信したら、対応するダウンロード条件を確認する。まず、時間条件を満足しているかどうかを判断し、時間条件、例えば９：００〜１０：００を満足していたら、ダウンロード先の条件を確認する。すなわち、アクセスしてきた携帯通信端末３を特定して、その端末ＩＤが、条件を満足しているかどうかを判定し、満足していた場合には、図３の矢印（２）のように、出入情報としての鍵ＩＤをダウンロードさせる。このとき、出入情報に有効期限が設定されていた場合には、有効期限後にその出入情報を無効にするためのプログラムも上記鍵ＩＤと一緒にダウンロードさせる。ここでは、出入口Ｎｏ．１に対応する出入情報には有効期限が設定されていないので、上記プログラムをダウンロードさせる必要はない。
【００２６】
上記鍵ＩＤを取得した携帯通信端末３を持った警備員は、上記出入口Ｎｏ．１に対応する現場へ行って、携帯通信端末３を読み取り部４にかざして鍵ＩＤを読み取らせる（図３矢印（３））。この鍵ＩＤを携帯通信端末３から読み取り部４に読み取らせる方法には、次のようなものがある。
上記携帯通信端末３のＩＣチップには外部信号によって電圧を誘起される電源回路を備え、バッテリーを持たないようにした場合には、このＩＣチップに対して出入管理装置５の読み取り部４から、問い合わせ信号を発信すると、ＩＣチップは、問い合わせ信号によって誘起された電源を用いて、自身が記憶している上記鍵ＩＤを発信する。また、ＩＣチップ側に、バッテリーを備えて、ＩＣチップから能動的に、上記鍵ＩＤを発信するようにしてもよい。
どちらにしても、矢印（３）のように、出入情報としての鍵ＩＤが携帯通信端末３から出入管理装置５へ送信される。
【００２７】
出入情報としての鍵ＩＤを受信した出入管理装置５のデータ処理部５ｂは、受信した鍵ＩＤを記憶部５ａが記憶している出入許可条件と照合して、上記鍵ＩＤが出入許可条件を満足しているか否かを判断する。出入許可条件を満足していると判断した場合には、ドア６の電気錠を解錠する。
また、出入管理装置５は、上記照合結果を、上記携帯通信端末３に対して送信する（図３矢印（４））。
携帯通信端末３は、照合結果を受信したら、この受信をトリガとして履歴管理コンピュータ２に対して自動的に電子メールを送信する（図３矢印（５））。つまり、この第１実施形態では、上記履歴管理コンピュータ２が、この発明の予め設定された送信先に当たる。
【００２８】
履歴管理コンピュータ２へ送信される電子メールの内容は、上記照合結果に基づく情報であり、出入許可条件を満足した場合には、例えば、「いつ（日時）、誰が、どこに入室した」が分かる情報であり、出入許可条件を満足しなかった場合には、「いつ（日時）、誰が、どこに入室できなかった」が分かる情報である。
上記日時は、携帯情報端末３で特定できる情報であり、誰は、携帯通信端末３のメールアドレスなど、端末を特定できる情報である。また、出入管理装置５から送信される照合結果に、条件満足の可否とともに、出入管理装置ＩＤなどを含むようにすれば、それを上記電子メールに付加することで、「どこに入室した」か、「どこに入室できなかった」が特定できることになる。
【００２９】
上記履歴管理コンピュータ２では、出入管理装置５が判断した出入管理の履歴を、上記電子メールによって受信し、出入履歴として管理することができる。
なお、厳密には、上記照合結果で、出入許可条件を満足したという結果が送信された場合には、ドア６の電気錠が解錠されたことは事実でも、実際に警備員が入室したのかどうかまでは分からないが、ここでは解錠された場合には入室したとみなしている。
以上のように、この第１実施形態のシステムを用いれば、警備員はどこで連絡を受けても、その場で出入情報を受け取って、現場に行き、出入口を開けることができる。従って、より素早い対応が可能になる。
また、必要な時に、必要な出入情報を取得できるので、予め多数の出入情報を記憶させておく必要がないし、必要な出入情報が増えた場合にも、すぐに対応できる。従来のように、別のカードキーなどを発行する必要がない。
【００３０】
上記第１実施形態では、携帯通信端末３が、照合結果の受信をトリガとして、履歴管理コンピュータ２へ電子メールを送信するようにしているが、電子メールの送信先は、警備会社のコンピュータのほか、特定の個人の端末などどこでもかまわない。例えば、出入口側の企業や個人に対して、いつ誰が出入したのかという履歴情報を送ることもできる。ただし、上記電子メールの送信機能は必須ではない。電子メールで履歴情報を送信しなくても、上記システムによれば、入室を許可されたものが、いつでも簡単に出入情報を取得でき、素早く現場に到着できるメリットはある。
【００３１】
また、出入管理側は、出入を許可する者に、出入許可条件にマッチした出入情報を簡単に渡すことができる。特に、出入情報のダウンロードに条件をつけることによって、不正者に出入情報が渡ることを、より確実に防止できる。さらに、出入情報そのものに、有効期限を設ければ、必要なときだけに鍵を渡すようにして、出入情報をワンタイム登録できる。
なお、有効期限つきの出入情報とともに携帯通信端末３にダウンロードされるプログラムは、有効期限が過ぎたときに、携帯通信端末３が記憶している出入情報を消去したり、他のものに変更したりして上記出入情報を無効にする処理を実行するプログラムである。
【００３２】
また、上記では、携帯通信端末３が出入情報として特定の鍵ＩＤを記憶し、上記出入管理装置５のデータ処理部５ｂは、記憶部５ａが記憶している鍵ＩＤとを照合して電気錠を解錠するようにしているが、上記出入情報と出入許可条件は、同一のものである必要はないし、出入許可条件が、経時で実質的に変化するようなものであってもかまわない。
上記出入情報と出入許可条件とが同一でないものとしては、例えば、携帯通信端末３がダウンロードした出入情報が、ダウンロード日時の情報であり、出入許可条件を「特定の期間内にダウンロードされたもの」とするようなものがある。
また、出入情報が「有効期間」であって、出入許可条件が「現時点が有効期間内である」とすることもできる。このようにすれば、有効期限後に出入情報を無効にするためのプログラムを用いなくても、出入情報の有効期間を設定し、期間後にその出入情報を無効にすることができる。
【００３３】
さらに、同じ出入口の出入に対応する出入情報にレベルを設定する第２実施形態を次に説明する。上記出入情報のレベルとは、例えば、特定の部屋に対し、正社員なら、いつでも入室できる出入情報をダウンロードさせるが、アルバイトには、正社員が入室しているときにのみ出入許可する出入情報をダウンロードさせるということである。つまり、正社員用とアルバイト用の出入情報に差を設けるということである。
この第２実施形態のシステムの全体構成は、図１に示す第１実施形態と同様であり、各構成要素間の情報の流れも図３に示すとおりである。ただし、この実施形態では、図１に示す履歴コンピュータ２を警備会社ではなく、出入管理対象側の会社が管理するものとする。
【００３４】
以下には、第１実施形態と異なる部分についてのみ、説明する。
まず、社員と、アルバイトとに異なる出入情報をダウンロードさせる。例えば、社員にはＩＤ「Ａ」をダウンロードさせ、アルバイトには、ＩＤ「Ｂ」をダウンロードさせる。両者を区別するためには、様々な方法が考えられるが、ＩＤ「Ａ」のダウンローページと、ＩＤ「Ｂ」用のダウンロードページとを別々に設けて、それぞれにアクセスする際に、社員またはアルバイトを特定するためのパスワード入力をさせたり、ダウンロード条件にパスワード入力の要求を含んだりすることが考えられる。要するに、社員の携帯通信端末３にはＩＤ「Ａ」、アルバイトの携帯通信端末３にはＩＤ「Ｂ」をダウンロードさせる。
【００３５】
この第２実施形態では、出入口に設けた出入管理装置５のデータ処理部５ｂの照合処理が、上記第１実施形態とは異なるので、その処理手順を図４に示すフローチャートに従って説明する。なお、この処理は、データ処理部５ｂに設定しておく。
データ処理部５ｂは、携帯通信端末３が読み取り部４にかざされたとき、読み取り部４を介してＩＤを読み取る（ステップＳ１）。
ステップＳ２で、読み取ったＩＤが「Ａ」かどうか判断し、「Ａ」の場合にはステップＳ３へ進み、解錠する。
ステップＳ４で、データ処理部５ｂは、ＩＤ「Ａ」が入室したことを記憶部５ａに記憶させる。そして、所定時間後にステップＳ５で施錠して処理を終了する（ステップＳ８）。
以上が、社員が入室する際の処理手順である。
【００３６】
上記ステップＳ２で、データ処理部５ｂが、読み取ったＩＤが「Ａ」でないと判断した場合には、ステップＳ６へ進み、ＩＤが「Ｂ」かどうかを判断する。
データ処理部５ｂが、読み取ったＩＤが「Ｂ」ではないと判断した場合には、ステップＳ８へ進む。つまり、読み取ったＩＤが、ＩＤ「Ａ」でも「Ｂ」でもないので、施錠状態を維持したまま処理を終了する。
【００３７】
一方、ステップＳ６で、ＩＤが「Ｂ」であると判断した場合には、ステップＳ７へ進み、記憶部５ａが、ＩＤ「Ａ」の入室を記憶しているかどうか判断する。ＩＤ「Ａ」の入室を記憶していた場合には、ステップＳ３へ進み解錠するが、記憶部５ａがＩＤ「Ａ」の入室を記憶していなかった場合には、施錠状態を維持してステップＳ８へ進む。
以上の処理ステップによって、社員が入室しているときに限ってアルバイトを入室させるという出入管理ができる。
なお、上記ステップＳ８で処理を終了する前に、データ処理部５ａによるＩＤの照合結果を、携帯通信端末３へ送信するようにしてもよい。そして、携帯通信端末３が、上記照合結果の受信をトリガとして、予め、設定した送信先である履歴コンピュータ２へ電子メールを送信するようにすれば、上記履歴コンピュータ２は、入室履歴を管理することができる。
【００３８】
以上のように、出入情報や、出入許可条件として、様々な情報を用いることができ、それによって、様々な種類の出入管理ができる。そして、この発明のシステムによれば、携帯通信端末３に対して、通信手段を介して出入情報をダウンロードさせるので、出入を許可する者を増やしたり、出入に特別の条件を付加したりというように、出入管理の形態を変更する場合にも、簡単に対応できる。
例えば、出入口に取り付けられている鍵を取り替えたときに、新しい鍵を必要とする人に、その鍵を簡単に配れるようなものである。
【図面の簡単な説明】
【００３９】
【図１】この発明の第１実施形態のシステム構成図である。
【図２】第１実施形態の出入情報サーバーが記憶しているデータ例を示した表である。
【図３】第１実施形態の情報の流れを示した模式図である。
【図４】第２実施形態の出入管理装置の処理手順を示したフローチャートである。
【符号の説明】
【００４０】
１      出入情報サーバー
２      履歴管理コンピュータ
３      携帯通信端末
５      出入管理装置
【図１】
2006336343.tif 000003
【図２】
2006336343.tif 000004
【図３】
2006336343.tif 000005
【図４】
2006336343.tif 000006